(57)【要約】【課題】  眼鏡の軽量化を保ちつつ重心位置の偏倚を補正することにより、快適な装用感が得られる眼鏡を提供する。【解決手段】  装用したときに鼻部及び両耳部の３つの支点で支持される眼鏡において、該眼鏡の重心位置について次式（０．４Ｘ＜Ｙ＜Ｘ）が成り立つ手段を採用する。Ｙは鼻部の支点から眼鏡の重心までの距離であり、Ｘは鼻部の支点から前記３つの支点で形成される三角形の図心までの距離である。【選択図】  図１
2006323009.tif 000002
【特許請求の範囲】
【請求項１】
装用したときに鼻部及び両耳部の３つの支点で支持される眼鏡において、該眼鏡の重心位置について次の式（１）が成り立つことを特徴とする眼鏡。
０．４Ｘ  ＜  Ｙ  ＜  Ｘ                         （１）
Ｙ：  鼻部の支点から眼鏡の重心までの距離
Ｘ：  鼻部の支点から前記３つの支点で形成される三角形の図心までの距離
【請求項２】
モダン部分の前記耳部の支点よりも後方に、前記モダン部分の材質よりも比重の重い錘を取り付けていることを特徴とする請求項１に記載の眼鏡。
【請求項３】
前記モダン部分の材質が非金属製であることを特徴とする請求項１又は２に記載の眼鏡。
【請求項４】
前記モダン部分の材質が金属製であることを特徴とする請求項１又は２に記載の眼鏡。
【請求項５】
前記錘の材質がタングステンであることを特徴とする請求項２乃至４の何れかに記載の眼鏡。
【発明の詳細な説明】
【技術分野】
【０００１】
本発明は眼鏡に関し、特に、鼻及び両耳に作用する荷重を平等化することにより快適な装用感が得られる眼鏡に関する。
【背景技術】
【０００２】
近年、眼鏡レンズにはプラスチックが使用され、眼鏡フレームの材質にはナイロン系の樹脂やチタン等が使用されることにより、軽量化が進んでいる。しかしながら、眼鏡が軽量化するにつれて、その重心位置がレンズ近傍に著しく偏倚することになり、装用感が悪くなるという問題を生じている。
【０００３】
眼鏡の重さは鼻及び両耳で支持されているが、重心の偏倚により大部分の荷重は鼻に作用している。このため眼鏡を装用しているときには、偏倚荷重によって適正な位置からずり落ちるという問題があり、鼻が痛くなるという問題がある。また、眼鏡をはずしたときには、鼻の上にパッドの跡が残って目立つという問題がある。さらに、女性の場合には、パッドに接触している部分から化粧崩れするという問題がある。
【０００４】
このような問題を解決するために、モダンの後端部にアクセサリを取り付け、これによって眼鏡全体のバランスを補正することが提案されている（例えば、特許文献１参照。）。すなわち、アクセサリを錘として利用することにより、眼鏡の重心をレンズから後方へと移動させ、装用感を改善しようとするものである。しかしながら、眼鏡に常時アクセサリを取り付けておくことは、多くの使用者にとって煩わしくなることが少なくない。
【０００５】
そこで、眼鏡そのものに目立たない錘を取り付けて、重心位置の偏倚を補正することが望ましい。しかし、錘を使用することは、眼鏡の重量を増加させることになるため、眼鏡の軽量化に対しては逆効果になるという問題がある。
【特許文献１】特開２００５−３７６１４号公報
【発明の開示】
【発明が解決しようとする課題】
【０００６】
解決しようとする問題点は、眼鏡の軽量化を保ちつつ重心位置の偏倚を補正することにより、快適な装用感が得られる眼鏡を提供することである。また、これにより、鼻が痛くなったり、適正な位置からずり落ちたりすることのない眼鏡を提供することである。さらに、鼻の上にパッドの跡が残ったり、化粧崩れしたりすることのない眼鏡を提供することである。
【課題を解決するための手段】
【０００７】
上記の課題を解決するために、本発明の請求項１に係る眼鏡は、装用したときに鼻部及び両耳部の３つの支点で支持される眼鏡において、該眼鏡の重心位置について次の式（１）が成り立つ手段を採用している。
０．４Ｘ  ＜  Ｙ  ＜  Ｘ                        （１）
Ｙ：  鼻部の支点から眼鏡の重心までの距離
Ｘ：  鼻部の支点から前記３つの支点で形成される三角形の図心までの距離
【０００８】
また、本発明の請求項２に係る眼鏡は、請求項１に記載の眼鏡において、モダン部分の前記耳部の支点よりも後方に、前記モダン部分の材質よりも比重の重い錘を取り付けている手段を採用している。さらに、本発明の請求項３に係る眼鏡は、請求項１又は２に記載の眼鏡において、前記モダン部分の材質が非金属製である手段を採用している。
【０００９】
また、本発明の請求項４に係る眼鏡は、請求項１又は２に記載の眼鏡において、前記モダン部分の材質が金属製である手段を採用している。さらに、本発明の請求項５に係る眼鏡は、請求項２乃至４の何れかに記載の眼鏡において、前記錘の材質がタングステンである手段を採用している。
【発明の効果】
【００１０】
本発明の眼鏡は、その重心位置について上記の手段を採用することにより、軽量化を保ちつつ重心位置の偏倚を補正することが可能であり、快適な装用感を得ることができる。また、これにより、鼻が痛くなったり、適正な位置からずり落ちたりすることのない眼鏡とすることができる。さらに、鼻の上にパッドの跡が残ったり、化粧崩れしたりすることのない眼鏡とすることができる。
【発明を実施するための最良の形態】
【００１１】
以下、本発明の一実施例を図面に基づき説明する。本発明の眼鏡１は、その一例を図１及び図２に示すように、眼鏡レンズ２、ブリッジ３、パッド４、鎧５、テンプル６、モダン（モダン部分７）等により構成されている。そして、このような眼鏡は使用者の鼻及び両耳で支持されているので、本発明者はこれら３つの支点で形成される三角形を考え、この三角形に対する眼鏡の重心位置を考察することにより、軽量でバランスの良い眼鏡の条件を模索した。
【００１２】
すなわち、鼻に当接するパッド４、４間の中心位置を支点Ａとし、両耳に当接するモダン部分７の位置を支点Ｂ及び支点Ｃとして、形成される三角形ＡＢＣについて考察した。「モダン部分」という言葉は、図のようにモダンを備えている場合に限らず、モダンを備えていない場合をも含めて、モダン又はこれに相当する部分を示す言葉として用いることにする。
【００１３】
通常、眼鏡の重心は支点Ａの近傍の点Ｗ１に大きく偏倚している。したがって、モダン部分７の端部近傍に錘を取り付けて、この偏倚を補正することが好ましいと考えられる。そこで、眼鏡の重心位置が三角形ＡＢＣの何れの点に位置すれば最も快適な装用感が得られるかを検討した。
【００１４】
当初の予想では、３つの支点に平等な荷重が作用することが好ましいと考え、眼鏡の重心が三角形ＡＢＣの図心近傍に位置することが、最も好ましいように思われた。しかしながら、眼鏡の重心が三角形ＡＢＣの図心と一致する場合には、取り付ける錘によって眼鏡の重量が２倍以上となって装用感が悪くなるために、眼鏡の重心は三角形ＡＢＣの図心よりも支点Ａ側に位置する方が好ましいことが判明した。
【００１５】
すなわち、眼鏡の重心をＷ、三角形ＡＢＣの図心をＧとしたときに、鼻部の支点Ａから眼鏡の重心Ｗまでの距離をＹ、鼻部の支点Ａから三角形ＡＢＣの図心Ｇまでの距離をＸとすれば、Ｙ＜Ｘであることが好ましく、Ｙ＜０．９Ｘであることが特に好ましい。
【００１６】
さらに、距離Ｙについてその下限値を検討した結果、Ｙが０．４Ｘ以下の場合にはアンバランス感が残り、装用感の向上がほとんど感じられないことが判明した。すなわち、０．４Ｘ＜Ｙであることが好ましく、０．５Ｘ＜Ｙであることが特に好ましい。
以上により、鼻部の支点Ａから眼鏡の重心Ｗまでの距離Ｙと、鼻部の支点Ａから三角形ＡＢＣの図心Ｇまでの距離Ｘとの関係は、０．４Ｘ＜Ｙ＜Ｘであることが好ましく、０．５Ｘ＜Ｙ＜０．９Ｘであることが特に好ましい。
【００１７】
眼鏡の重心位置を、支点Ａの近傍にあるＷ１の位置から上述の範囲にあるＷの位置に移動させるために、眼鏡のモダン部分に錘を取り付けて調節する。
図３に示すように、テンプル６の後部にモダンを備えている場合には、モダン部分７の耳部の支点Ｂ、Ｃよりも後方に錘８を取り付ける。モダン部分７の材質は樹脂又はプラスチック等の非金属であることが多く、錘８はモダン部分７の中に埋め込むこともできるし、モダン部分７の外側に適宜取り付けることもできる。
【００１８】
図４に示すように、金属製のテンプル６が後方に延長されてモダン部分７を形成している場合にも同様であり、モダン部分７の耳部の支点Ｂ、Ｃよりも後方に錘８を取り付ける。金属製のモダン部分７に錘８を溶接、圧入、又はネジ止め等の方法で取り付けることができる。
【００１９】
錘８としては、モダン部分７の材質よりも比重の重い材質であることが必要であり、なるべく比重の重い材質であることが好ましい。比較的安価な材料としては、比重が２０に近いタングステンを使用することができる。また、装飾を兼ねて目立つように取り付ける場合には、比重が２０に近い金を使用することもできる。
【図面の簡単な説明】
【００２０】
【図１】本発明の眼鏡の一例を示す概略全体平面図である。
【図２】本発明の眼鏡の一例を示す概略側面図である。
【図３】非金属性のモダン部分に錘を取り付ける場合を示す部分図である。
【図４】金属製のモダン部分に錘を取り付ける場合を示す部分図である。
【符号の説明】
【００２１】
１      眼鏡
２      眼鏡レンズ
３      ブリッジ
４      パッド
５      鎧
６      テンプル
７      モダン部分
８      錘
Ａ      鼻部の支点
Ｂ、Ｃ  耳部の支点
Ｇ      三角形ＡＢＣの図心
Ｗ１    従来の眼鏡の重心
Ｗ      本発明の眼鏡の重心
【図１】
2006323009.tif 000003
【図２】
2006323009.tif 000004
【図３】
2006323009.tif 000005
【図４】
2006323009.tif 000006